(57)【要約】【課題】  ディスクの振動を低減させる構造を有するディスクドライブのハウジングを提供する。【解決手段】  データ保存用ディスクと、ディスクを回転させるためのスピンドルモータと、読み取り／書き込みヘッドをディスク上の所定位置に移動させるためのアクチュエータを取り囲んで保護するベース部材と、カバー部材と、を有し、ハウジングには、ディスクにサーボトラックの情報を記録するために用いられる少なくとも一つのホールが貫通形成され、少なくとも一つのホールの内部には、ホールの内部を満たすためのプラグが挿入されることを特徴とするディスクドライブのハウジング。そのような構成によれば、ハウジングに形成されたサーボトラックライト用ホールによって発生される乱流と不均一な圧力分布とを抑制することで、ディスクの振動が低減する。【選択図】    図４
2005216474.tif 000002
【特許請求の範囲】
【請求項１】
データ保存用ディスクと，前記ディスクを回転させるためのスピンドルモータと，読み取り／書き込みヘッドを前記ディスク上の所定位置に移動させるためのアクチュエータを囲んで保護するベース部材と，カバー部材とを有するディスクドライブのハウジングにおいて：
前記ハウジングには，前記ディスクにサーボトラックの情報を記録するために用いられる少なくとも一つのホールが貫通形成され，
前記少なくとも一つのホールの内部には，前記ホールの内部を満たすためのプラグが挿入されることを特徴とする，ディスクドライブのハウジング。
【請求項２】
前記少なくとも一つのホールは，前記ディスクにサーボトラックの情報を記録するためのクロックヘッドを前記ハウジングの内部に挿入するためのクロックヘッド挿入ホールと，
前記アクチュエータの回動を制御するためのプッシュピンを，前記ハウジングの内部に挿入するためのプッシュピン挿入ホールと，
を含むことを特徴とする，請求項１に記載のディスクドライブのハウジング。
【請求項３】
前記クロックヘッド挿入ホールは，前記ベース部材の側壁に形成され，前記プッシュピン挿入ホールは，前記ベース部材の底板に形成されることを特徴とする，請求項２に記載のディスクドライブのハウジング。
【請求項４】
前記プラグにおいて，前記ハウジングの内部方向に向う面は，前記ハウジングの内面と同じ形状の面を形成することを特徴とする，請求項１に記載のディスクドライブのハウジング。
【請求項５】
前記ホールの形状は，前記ハウジングの外側に行くほどその断面積が大きくなるテーパ状に形成され，前記プラグは，前記ホールの形状と相応するテーパ状を有することを特徴とする，請求項１に記載のディスクドライブのハウジング。
【請求項６】
前記プラグにおいて，前記ハウジングの外側端部にはフランジが形成されることを特徴とする，請求項１に記載のディスクドライブのハウジング。
【請求項７】
前記ハウジングの外面には，前記ホールの周りに前記プラグのフランジが挿入される段差部が形成されることを特徴とする，請求項６に記載のディスクドライブのハウジング。
【請求項８】
前記プラグは，スクリューによって前記ハウジングに締結されることを特徴とする，請求項６に記載のディスクドライブのハウジング。
【請求項９】
前記プラグは，接着剤によって前記ホールの内面に接着されることを特徴とする請求項１に記載のディスクドライブのハウジング。
【請求項１０】
前記プラグはプラスチック射出物よりなり，前記ハウジングの外面には，前記プラグを覆う電磁気波遮断用シーリングテープが接着されることを特徴とする，ディスクドライブのハウジング。
【請求項１１】
前記シーリングテープは，アルミニウムテープであることを特徴とする，請求項１０に記載のディスクドライブのハウジング。
【請求項１２】
前記プラグは，金属物質よりなることを特徴とする，請求項１に記載のディスクドライブのハウジング。
【請求項１３】
前記プラグは，アルミニウムよりなることを特徴とする，請求項１２に記載のディスクドライブのハウジング。
【請求項１４】
前記ハウジングの外面には，前記プラグを覆うシーリングテープが接着されることを特徴とする，請求項１２に記載のディスクドライブのハウジング。
【請求項１５】
前記プラグの外面には，接着部材が設けられることを特徴とする，請求項８に記載のディスクドライブのハウジング。
【請求項１６】
前記プラグの設置によって，前記ホール内の気密性を保つことを特徴とする，請求項１に記載のハードディスクドライブのハウジング。
【請求項１７】
前記ベース部材の形状は，少なくともダイカストによるボウル形状であり，前記カバー部材は板状として提供され，前記少なくとも一つのホールは，前記ベース部材に形成されることを特徴とする，請求項１に記載のハードディスクドライブのハウジング。
【請求項１８】
前記カバー部材の形状は，少なくともダイカストによるボウル形状であり，前記ベース部材は板形状であり，前記少なくとも一つのホールは，前記カバー部材に形成されることを特徴とする，請求項１に記載のハードディスクドライブのハウジング。
【発明の詳細な説明】
【技術分野】
【０００１】
本発明は，ハードディスクドライブ（Ｈａｒｄ  Ｄｉｓｋ  Ｄｒｉｖｅ：以下，ＨＤＤ）に係り，更に詳細には，ディスクの振動を低減させる構造を有するＨＤＤのハウジングに関する。
【背景技術】
【０００２】
コンピュータの情報保存装置（ストレージ装置等）のうちの一つであるＨＤＤは，読み取り／書き込みヘッドを用いてディスクに／ディスクからデータを記録／再生する装置である。そのようなＨＤＤにおいて，ヘッドは，回転するディスクの記録面から所定の高さに浮上した状態で，アクチュエータによって所望の位置に移動しつつその機能を行う。
【０００３】
図１は，従来のＨＤＤの構造を示した分解斜視図である。図１を参照すると，ＨＤＤのベース部材１１には，ディスク２０を回転させるためのスピンドルモータ３０と，データの再生及び記録のための読み取り／書き込みヘッドとを，ディスク２０上の所望の位置に移動させるアクチュエータ４０とが設置される。
【０００４】
上記スピンドルモータ３０は，ベース部材１１に設置され，上記ディスク２０は，クランプ３２とクランピングスクリュー３３とによってスピンドルモータ３０に堅く固定されて，スピンドルモータ３０と共に回転する。
【０００５】
上記アクチュエータ４０は，ベース部材１１に設置されたピボット軸受４１に回転自在に結合されたスイングアーム４２と，スイングアーム４２の一端部に設置されて，上記ヘッドが搭載されたスライダーをディスク２０の表面側に付勢されるように支持するサスペンション４３と，スイングアーム４２を回転させるためのボイスコイルモータ（Ｖｏｉｃｅ  Ｃｏｉｌ  Ｍｏｔｏｒ：以下，ＶＣＭ）４５と，を有する。
【０００６】
上記ＶＣＭ４５は，サーボ制御システムによって制御され，ＶＣＭコイルに入力される電流とマグネットにより形成された磁場との相互作用によって，フレミングの左手の法則による方向にスイングアーム４２を回転させるようになる。すなわち，ディスクドライブの電源がオンになってディスク２０が回転し始めると，例えば，ＶＣＭ４５はスイングアーム４２を逆時計回り方向に回転させて，上記ヘッドをディスク２０の記録面の上に移動させる。それに対し，ディスクドライブの電源がオフになってディスク２０の回転が停止すると，例えば，ＶＣＭ４５はスイングアーム４２を時計回り方向に回転させて，上記ヘッドがディスク２０を離脱するようにする。
【０００７】
そして，上記ベース部材１１の上部には，カバー部材１２が複数のスクリュー１９を用いて結合される。そのように，互いに結合されたベース部材１１とカバー部材１２とを有するハウジング１０は，ディスク２０，スピンドルモータ３０及びアクチュエータ４０などを囲んで保護する役割をするようになる。
【０００８】
上記のような構成を有するディスクドライブにおいて，読み取り／書き込みヘッドが，上記ディスク２０上の所定位置に迅速で且つ正確に到達できるように，上記ディスク２０の表面にはサーボトラックの情報が予め記録される。その記録されたサーボトラックの情報は，サーボトラックライト（Ｓｅｒｖｏ  Ｔｒａｃｋ  Ｗｒｉｔｅ：以下，ＳＴＷ）という。そのようなＳＴＷのために，上記ベース部材１１の側壁にはクロックヘッド挿入ホール１４が形成される。そのクロックヘッド挿入ホール１４を介してクロックヘッドをハウジング１０の内部に挿入して，ディスク２０上にサーボ情報を記録する。
【０００９】
そして，ベース部材１１の底板には，ディスク２０にサーボトラックの情報を記録する時，アクチュエータ４０の回動を制御するプッシュピンをハウジング１０の内部に挿入するためのプッシュピン挿入ホール１５が形成される。
【００１０】
【特許文献１】特開平０５−２７４８５７号公報
【発明の開示】
【発明が解決しようとする課題】
【００１１】
しかしながら，上記のように，ベース部材１１に形成されたクロックヘッド挿入ホール１４とプッシュピン挿入ホール１５とによって，ハウジング１０の内部の空気流動が不安定になる問題点がある。
【００１２】
より具体的に説明すると，上記クロックヘッド挿入ホール１４と，プッシュピン挿入ホール１５が形成された部分で乱流が形成され，空気圧力が急激に低下する。
【００１３】
図２Ａと図２Ｂとは，ベース部材の側壁に，クロックヘッド挿入ホールが形成された従来のＨＤＤの内部の空気流動速度に対するシミュレーション結果を示す図面であり，図３Ａと図３Ｂとは，従来のＨＤＤの内部の空気圧力分布についてのシミュレーション結果を示す図面である。
【００１４】
図２Ａを参照すると，ディスクの外側端部に位置したクロックヘッド挿入ホールの部分での空気流動速度が，他の部分に比べて低下していることがわかり（例えば，白線によってクロックヘッド挿入ホール１４が表現されている部分），更に，図２Ｂを参照すれば，クロックヘッド挿入ホールの内部には乱流が発生していることが分かる。
【００１５】
図３Ａと図３Ｂを参照すると，上記の空気流動速度と流動方向との変化によって，ディスクの周りの空気圧力がクロックヘッド挿入ホール１４部分で低下し，その部分だけ空気圧力が円周方向に均一に分布せず，不均一であることが分かる。図３Ｂに示すディスクの外側の円弧付近に表された逆コの字状の個所の空気圧力が不均一であることが分かる。
【００１６】
上記記載のように，ディスクの円周方向に沿うディスクの周りの空気圧力の分布が不均一になれば，ディスクの振動が大きく引き起こされる。特に，ベース部材の側壁に形成されたクロックヘッド挿入ホールは，空気圧力変化の影響を大きく受けるディスクの外側端部に位置するため，そのようなクロックヘッド挿入ホールによってディスクの端部の振動が更に大きくなる問題があった。
【００１７】
本発明は，上記問題点に鑑みてなされたものであり，本発明の目的は，ディスクの周りでの乱流の発生を抑制し圧力分布を均一化して，ディスクの振動を低減させることが可能な，新規かつ改良されたディスクドライブのハウジングを提供することである。
【課題を解決するための手段】
【００１８】
上記課題を解決するため，本発明の第１の観点によれば，データ保存用ディスクと，上記ディスクを回転させるためのスピンドルモータと，読み取り／書き込みヘッドを上記ディスク上の所定位置に移動させるためのアクチュエータを囲んで保護するベース部材と，カバー部材と，を有するディスクドライブのハウジングが提供される。上記ハウジングには，上記ディスクにサーボトラックの情報を記録するために用いられる少なくとも一つのホールが貫通形成され，上記少なくとも一つのホールの内部には，上記ホールの内部を満たすためのプラグが挿入されることを特徴とするディスクドライブのハウジングを提供する。
【００１９】
ここで，上記少なくとも一つのホールは，上記ディスクにサーボトラックの情報を記録するクロックヘッドを上記ハウジングの内部に挿入するためのクロックヘッド挿入ホールと，上記アクチュエータの回動を制御するプッシュピンを上記ハウジングの内部に挿入するためのプッシュピン挿入ホールと，を含み得る。その場合，上記クロックヘッド挿入ホールは，上記ベース部材の側壁に形成され，上記プッシュピン挿入ホールは，上記ベース部材の底板に形成され得る。
【００２０】
そして，上記プラグにおいて上記ハウジングの内部に向う面は，上記ハウジングの内面と同じ面を形成することが好ましい。
【００２１】
上記ホールは，上記ハウジングの外側に行くほど，その断面積が大きくなるテーパ状より形成され，上記プラグは，上記ホール状と相応するテーパ状を有することが好ましい。
【００２２】
上記プラグの上記ハウジングの外側端部にはフランジが形成され得る。その場合，上記ハウジングの外面には，上記ホールの周りに上記プラグのフランジが挿入される段差部が形成されることが好ましい。また，上記プラグは，スクリューによって上記ハウジングに締結され得る。
【００２３】
そして，上記プラグは，接着剤によって上記ホールの内面に接着され得る。
【００２４】
上記プラグはプラスチック射出物よりなり，上記ハウジングの外面には，上記プラグを覆う電磁気波遮断用シーリングテープが接着され得る。その場合，上記シーリングテープはアルミニウムテープであることが好ましい。
【００２５】
一方，上記プラグは金属物質，例えば，アルミニウムよりなり得る。その場合，上記ハウジングの外面には，上記プラグを覆うシーリングテープが付着され得る。
【発明の効果】
【００２６】
以上説明したように，本発明によれば，ハウジングに形成されたＳＴＷ用クロックヘッド挿入ホールとプッシュピン挿入ホールとの内部が，プラグによって満たされることで，上記ホールによる乱流の発生が抑制される。したがって，ディスクの円周方向に沿うディスクの周りの空気圧力分布が均一化されて，ディスクの振動が低減する。
【発明を実施するための最良の形態】
【００２７】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２８】
以下，添付図面を参照しつつ，本発明に係るディスクドライブのハウジングの好ましい実施例を詳細に説明する。以下の図面で同じ参照符号は同じ構成要素を示す。
【００２９】
図４は，第１の実施形態に係るハウジングを有するディスクドライブを示した分解斜視図であり，図５は，図４に示すベース部材の概略的な構成を示す斜視図であり，図６は，図４に示すＡ−Ａ’線に沿うベース部材の部分垂直断面図である。
【００３０】
図４〜図６を参照すると，ディスクドライブは，ディスク１２０にデータを記録／ディスク１２０からデータを再生する装置である。かかるディスクドライブは，ハウジング１１０と，このハウジング１１０の内部に配置されたデータ保存用ディスク１２０と，スピンドルモータ１３０と，アクチュエータ１４０とを備える。
【００３１】
また上記ハウジング１１０は，上記ディスク１２０，スピンドルモータ１３０，およびアクチュエータ１４０を取り囲んで保護する役割をし，ベース部材１１１とカバー部材１１２とを有する。
【００３２】
上記ベース部材１１１は，一般的にアルミニウムまたはアルミニウム合金よりなり，図４に示したように，ダイカストによってボウル形状又は蓋の無い直方体形状などに製造され得る。上記カバー部材１１２は，アルミニウムまたはステンレス板をプレス加工することで，板状に製造され得る。
【００３３】
そのようなカバー部材１１２は，複数のスクリュー１１９によってベース部材１１１の上部に結合され，ディスク１２０，スピンドルモータ１３０，およびアクチュエータ１４０を保護し，外部からハウジング１１０の内部に塵埃や湿気が流入することを防ぐ。そして，カバー部材１１２には，ディスク１２０とカバー部材１１２との間隔を狭めて，ディスク１２０の振動を低減させるためのグルーブ１１８が形成され得る。
【００３４】
一方，上記ベース部材１１１が板状に製造され，上記カバー部材１１２がボウル状に製造されることもある。
【００３５】
上記スピンドルモータ１３０は，上記ベース部材１１１に設置される。そのスピンドルモータ１３０には，少なくとも一つのディスク１２０が装着される。そのディスク１２０は，クランプ１３２とクランピングスクリュー１３３とによってスピンドルモータ１３０に堅く固定されて，スピンドルモータ１３０と共に回転するようになる。
【００３６】
上記アクチュエータ１４０は，データの記録及び再生のための読み取り／書き込みヘッドを，上記ディスク１２０上の所定位置に移動させるためのものであって，スイングアーム１４２と，サスペンション１４３と，ＶＣＭ１４５と，を有する。なお，上記ヘッドは例えばＭＲヘッド（Ｍａｇｎｅｔｏ  Ｒｅｓｉｓｔｉｖｅヘッド）等を例示することができる。
【００３７】
上記スイングアーム１４２は，ベース部材１１１に設置されたピボット軸受１４１に回転自在に結合される。上記サスペンション１４３は，スイングアーム１４２の先端部に結合されて，上記ヘッドが搭載されたスライダーをディスク１２０の表面側に付勢されるように支持する。
【００３８】
上記ＶＣＭ１４５は，上記スイングアーム１４２を回転させるための駆動力を提供するものであって，サーボ制御システムによって制御され，ＶＣＭコイルに入力される電流とマグネットより形成された磁場との相互作用によって，フレミングの左手の法則による方向にスイングアーム１４２を回転させるようになる。
【００３９】
すなわち，ディスクドライブの電源がオンになってディスク１２０が回転し始めれば，ＶＣＭ１４５は，スイングアーム１４２を逆時計回り方向に回転させて，上記ヘッドをディスク１２０の記録面の上に移動させる。それに対し，ディスクドライブの電源がオフになってディスク１２０の回転が停止すれば，ＶＣＭ１４５は，スイングアーム１４２を時計回り方向に回転させて，上記ヘッドがディスク１２０を離脱するようにする。その時，ディスク１２０の記録面を離脱したヘッドは，ディスク１２０の外側に設けられたランプ１４６にパーキングされる。
【００４０】
一方，上記ベース部材１１１の一隅には，ディスクドライブ内で流動する空気中に含まれたパーティクルをフィルタリングするための循環フィルタ１５０が設けられる。
【００４１】
上記のように構成されたディスクドライブにおいて，上記ハウジング１１０には，ディスク１２０にサーボトラックの情報を記録するために用いられる少なくとも一つのクロックヘッド挿入ホール１１４，プッシュピン挿入ホール１１５が貫通形成される。
【００４２】
具体的に，ベース部材１１１の側壁には，ディスク１２０にサーボトラックの情報を記録するクロックヘッドをハウジング１１０の内部に挿入するためのクロックヘッド挿入ホール１１４が形成され，ベース部材１１１の底板には，ディスク１２０にサーボトラックの情報を記録する時，上記アクチュエータ１４０の回動を制御するプッシュピンをハウジング１１０の内部に挿入するためのプッシュピン挿入ホール１１５が形成される。
【００４３】
一方，前述したように，カバー部材１１２がボウル状に製造された場合には，上記クロックヘッド挿入ホール１１４はカバー部材１１２の側壁に形成され得る。また，上記クロックヘッド挿入ホール１１４はカバー部材１１２の上面に形成されることもある。
【００４４】
以下では，説明の便宜のためにクロックヘッド挿入ホール１１４が図４に示すように，ベース部材１１１の側壁に形成された場合を例に挙げて説明する。
【００４５】
前述したように，上記クロックヘッド挿入ホール１１４とプッシュピン挿入ホール１１５とがハウジング１１０に備わることで，ディスク１２０の周りに乱流を発生させ，その乱流によってディスク１２０の周りの圧力分布が不均一になり，ディスク１２０の振動が引き起こされる。
【００４６】
そのような従来の問題点を解決するために，本実施の形態に係るディスクドライブのハウジング１１０は，上記クロックヘッド挿入ホール１１４とプッシュピン挿入ホール１１５との内部に挿入される第１プラグ１６０及び第２プラグ１８０を備える。そして，上記第１プラグ１６０及び第２プラグ１８０のそれぞれにおいてハウジング１１０の内部に向う面は，ベース部材１１１の内面と同じ面を形成することが好ましい。
【００４７】
したがって，図６に示すように，ベース部材１１１の内面が第１プラグ１６０及び第２プラグ１８０によって，少なくとも当該第１プラグ１６０，第２プラグが差し込まれる周辺部を段差なくシームレスに屈曲なしに円滑につながる面を形成することができる。そのような構成による効果は，後でハウジング１１０の内部での空気圧力分布についてのシミュレーション結果を参照しながら説明する。
【００４８】
上記第１プラグ１６０及び第２プラグ１８０は，クロックヘッド挿入ホール１１４とプッシュピン挿入ホール１１５とのそれぞれに気密に接しながら差し込まれ得る大きさを有する。
【００４９】
また，第１プラグ１６０及び第２プラグ１８０は，振動や外部衝撃によってクロックヘッド挿入ホール１１４とプッシュピン挿入ホール１１５とから離脱しないように，接着剤によってクロックヘッド挿入ホール１１４とプッシュピン挿入ホール１１５とのそれぞれの内面に接着され得る。
【００５０】
そして，上記第１プラグ１６０及び第２プラグ１８０は，プラスチック射出物または金属物質よりなり得る。例えば，上記第１プラグ１６０及び第２プラグ１８０がプラスチック射出物よりなる場合，更に製造しやすい長所がある。ところが，プラスチック射出物は，電磁気波（又は，電磁波）を効果的に遮断できないため，図６に示すように，上記ベース部材１１１の外面に，すなわち，ベース部材１１１の側壁外面と底板の外面とに，第１プラグ１６０及び第２プラグ１８０を覆う電磁気波遮断用第１シーリングテープ１７０及び第２シーリングテープ１９０が接着されることが好ましい。
【００５１】
上記第１シーリングテープ１７０及び第２シーリングテープ１９０としては，例えば，アルミニウムテープを例示でき，そのアルミニウムテープは，外部の電磁気波が，クロックヘッド挿入ホール１１４とプッシュピン挿入ホール１１５とを介してハウジング１１０の内部に電磁波が伝播されることを遮断する役割と共に，ベース部材１１１の外観を美麗にする役割もする。
【００５２】
一方，上記第１プラグ１６０及び第２プラグ１８０が金属物質よりなる場合には，それ自体が電磁気波（又は，電磁波）を効果的に遮断できる。上記金属物質としては，ベース部材１１１を形成する物質と同じアルミニウムであることが好ましい。その場合にも，ベース部材１１１の外観を美麗にするために，上記ベース部材１１１の外面に，上記第１プラグ１６０及び第２プラグ１８０を被覆する第１シーリングテープ１７０及び第２シーリングテープ１９０が接着され得る。しかし，その時の第１シーリングテープ１７０及び第２シーリングテープ１９０としては，電磁気波を遮断できるアルミニウムテープである必要はないため，多種多様な接着用テープを用いることが可能である。
【００５３】
図９Ａと図９Ｂは，本実施の形態に係るディスクドライブのハウジングの内部での空気圧力分布についてのシミュレーション結果の概略を示す説明図である。
【００５４】
上記のような構成を有する本実施の形態によれば，クロックヘッド挿入ホール１１４とプッシュピン挿入ホール１１５との内部が，第１プラグ１６０及び第２プラグ１８０によって領域が満たされる（隙間のないように満たされる）ことで，ベース部材の内面が第１プラグ１６０及び第２プラグ１８０によって屈曲なしに円滑につながる面を形成するようになる。その結果，図９Ａと図９Ｂに示すように，クロックヘッド挿入ホール１１４とプッシュピン挿入ホール１１５とによる乱流が発生せず，それによってディスクの周りの空気圧力分布がディスクの円周方向に沿って均一に形成される。そのように形成されたディスクの周りの空気の均一な圧力分布は，ディスクの振動を低減させる。なお，図９に示すシミュレーション結果については，以下に示す第２の実施の形態，第３の実施の形態についても，ほぼ同様の効果を得ることが可能となる。
【００５５】
図７は，第２の実施の形態に係るＨＤＤのベース部材を示した部分垂直断面図である。なお，以下に第２の実施の形態にかかるＨＤＤのハウジングについて説明するが，上述した第１の実施の形態に係るＨＤＤのハウジングの構成と異なる点について特に詳細に説明する。
【００５６】
図７を参照すると，第２の実施の形態によれば，クロックヘッド挿入ホール２１４とプッシュピン挿入ホール２１５とは，ベース部材１１１の外側に行くほどその断面積が大きくなるテーパ状に形成される。つまり，第２の実施の形態にかかるクロックヘッド挿入ホール２１４とプッシュピン挿入ホール２１５の形状は，第１の実施の形態にかかるクロックヘッド挿入ホール１１４とプッシュピン挿入ホール１１５の形状と比べて先端に行くほど先細りの形状となっている点で異なる。そして，クロックヘッド挿入ホール２１４とプッシュピン挿入ホール２１５とに挿入される第１プラグ２６０及び第２プラグ２８０も，上記クロックヘッド挿入ホール２１４とプッシュピン挿入ホール２１５の形状と相応するように形状がテーパ状となっている。
【００５７】
かかる構成によれば，振動や外部衝撃によって第１プラグ２６０又は第２プラグ２８０が，クロックヘッド挿入ホール１１４又はプッシュピン挿入ホール１１５から外れて（又は，剥がれて），ハウジング１１０の内部に進入してしまう（落ち込む）危険性を未然に防止できる。そして，第１プラグ２６０又は第２プラグ２８０がハウジング１１０の外部に離脱する（剥がれ落ちる）ことは，第１プラグ２６０又は第２プラグ２８０各々を被覆するようにベース部材１１１の外面に接着された第１シーリングテープ１７０と第２シーリングテープ１９０によって防止できる。
【００５８】
そして，第２の実施形態においても，上記第１の実施の形態で説明したように，上記第１プラグ２６０及び第２プラグ２８０は，接着剤によってクロックヘッド挿入ホール２１４とプッシュピン挿入ホール２１５とのそれぞれの内面に接着できる。また，上記第１プラグ２６０及び第２プラグ２８０は，プラスチック射出物または金属物質よりなり得，それぞれの場合における具体的な構成と効果とは上述した第１実施形態とほぼ同じである。
【００５９】
次に，図８は，第３の実施形態に係るＨＤＤのベース部材の概略を示した部分垂直断面図である。なお，以下に第３の実施の形態にかかるＨＤＤのハウジングについて説明するが，上述した第１の実施の形態に係るＨＤＤのハウジングの構成と異なる点について特に詳細に説明する。
【００６０】
図８を参照すると，第３の実施形態によれば，第１プラグ３６０及び第２プラグ３８０のベース１１１の外側端部には鍔(つば)状に張り出したフランジ３６２，フランジ３８２が形成される。
【００６１】
かかる構成によれば，振動や外部衝撃によっても第１プラグ３６０及び第２プラグ３６０のフランジ３６２，フランジ３８２と対応するような形状が，クロックヘッド挿入ホール３１４とプッシュピン挿入ホール３１５に各々形成されているため，上記第１プラグ３６０又は第２プラグ３８０が外れても，ハウジング１１０の内部に落ち込む（進入してしまう）危険性を未然に防止できる。
【００６２】
そして，第１プラグ３６０又は第２プラグ３８０がハウジング１１０の外部に離脱する（剥がれ落ちる）危険性は，第１プラグ３６０又は第２プラグ３８０を被覆するようにベース部材１１１の外面に接着された第１シーリングテープ１７０又は第２シーリングテープ１９０によって防止できる。
【００６３】
そして，上記ベース部材１１１の外面，すなわち，側壁の外面と底板の外面とには，クロックヘッド挿入ホール３１４とプッシュピン挿入ホール３１５との周りに，上記第１プラグ３６０と第２プラグ３６０のフランジ３６２，フランジ３８２が挿入され，接面し，接着可能な段差部３１６，段差部３１７が形成されることが好ましい。さらに，段差部３１６，段差部３１７は，フランジ３６２とフランジ３８２の各々の高さと略同一となるように形成するのが好ましい。かかる段差部３１６，段差部３１７の形成によって，第１プラグ３６０及び第２プラグ３８０のフランジ３６２，フランジ３８２がベース部材１１１の外面に突出しないように，第１プラグ３６０及び第２プラグ３８０を各々挿し込むことができるため，ベース部材１１１の外観が美麗になるだけでなく，ＨＤＤのハウジング１１０を設置する際に，第１プラグ３６０及び第２プラグ３８０が邪魔にならず，ハウジング１１０を容易に，しっかりと固定することができる。
【００６４】
また，第１プラグ３６０及び第２プラグ３８０は，図８に示すように，締結スクリュー３６４，締結スクリュー３８４によってベース部材１１１に締結することができる。そのために，上記第１プラグ３６０及び第２プラグ３８０のフランジ３６２，フランジ３８２には，スクリュー挿入ホール３６３，スクリュー挿入ホール３８３が各々形成される。
【００６５】
上記締結スクリュー３６４，締結スクリュー３８４をスクリュー挿入ホール３６３，スクリュー挿入ホール３８３に螺合することによって，第１プラグ３６０及び第２プラグ３８０をベース部材１１１に堅く結合し，固定することができるため，激しい振動や外部からの衝撃によってもクロックヘッド挿入ホール３１４又はプッシュピン挿入ホール３１５から第１プラグ３６０又は第２プラグ３８０が外れない（又は，離脱しない）。
【００６６】
そして，第３の実施形態においても，上記第１プラグ３６０及び第２プラグ３８０は，接着剤によってクロックヘッド挿入ホール３１４とプッシュピン挿入ホール３１５とのそれぞれの内面に接着され得る。また，上記第１プラグ３６０及び第２プラグ３８０は，プラスチック射出物または金属物質よりなり得，それぞれの場合における具体的な構成と効果とは前述した第１実施形態とほぼ同じである。
【００６７】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【産業上の利用可能性】
【００６８】
本発明は，ハードディスクドライブ等のハウジングに適用可能である。
【図面の簡単な説明】
【００６９】
【図１】従来のＨＤＤの構造を示した分解斜視図である。
【図２Ａ】ベース部材の側壁にクロックヘッド挿入ホールが形成された従来のＨＤＤの内部の空気流動速度についてのシミュレーション結果を示す説明図である。
【図２Ｂ】ベース部材の側壁にクロックヘッド挿入ホールが形成された従来のＨＤＤの内部の空気流動速度についてのシミュレーション結果を示す説明図である。
【図３Ａ】ベース部材の側壁にクロックヘッド挿入ホールが形成された従来のＨＤＤの内部の空気圧力分布についてのシミュレーション結果を示す説明図である。
【図３Ｂ】ベース部材の側壁にクロックヘッド挿入ホールが形成された従来のＨＤＤの内部の空気圧力分布についてのシミュレーション結果を示す説明図である。
【図４】第１の実施形態に係るハウジングを有するディスクドライブを示した分解斜視図である。
【図５】図４に示すベース部材を反した斜視図である。
【図６】図４に示すＡ−Ａ’線に沿うベース部材の部分垂直断面図である。
【図７】第２の実施の形態に係るＨＤＤのベース部材を示した部分垂直断面図である。
【図８】第３の実施の形態に係るＨＤＤのベース部材を示した部分垂直断面図である。
【図９Ａ】本実施の形態に係るディスクドライブのハウジングの内部での空気圧力分布についてのシミュレーション結果の概略を示す説明図である。
【図９Ｂ】本実施の形態に係るディスクドライブのハウジングの内部での空気圧力分布についてのシミュレーション結果の概略を示す説明図である。
【符号の説明】
【００７０】
１１０    ハウジング
１１１    ベース部材
１１２    カバー部材
１１４    クロックヘッド挿入ホール
１１５    プッシュピン挿入ホール
１１８    グルーブ
１１９    スクリュー
１２０    ディスク
１３０    スピンドルモータ
１３２    クランプ
１３３    クランピングスクリュー
１４０    アクチュエータ
１４１    ピボット軸受
１４２    スイングアーム
１４３    サスペンション
１４５    ＶＣＭ
１４６    ランプ
１５０    循環フィルタ
１６０    第１プラグ
１７０    第１シーリングテープ
１８０    第２プラグ
【図１】
2005216474.tif 000003
【図４】
2005216474.tif 000004
【図５】
2005216474.tif 000005
【図６】
2005216474.tif 000006
【図７】
2005216474.tif 000007
【図８】
2005216474.tif 000008
【図２Ａ】
2005216474.tif 000009
【図２Ｂ】
2005216474.tif 000010
【図３Ａ】
2005216474.tif 000011
【図３Ｂ】
2005216474.tif 000012
【図９Ａ】
2005216474.tif 000013
【図９Ｂ】
2005216474.tif 000014